(57)【要約】【課題】  開示の広告宣伝媒体は、円盤状情報記録媒体に収録されたコンテンツに応じ、製品・サービスの広告・宣伝を行うことができる。【解決手段】  開示の広告宣伝媒体は。円盤状情報記録媒体を収納する収納容器の中に、該円盤状情報記録媒体と共に収納される広告宣伝媒体であって、前記円盤状情報記録媒体の中心孔と嵌合し該円盤状情報記録媒体を係止する係止部より大きく、かつ、前記円盤状情報記録媒体より小さい孔を備えることを特徴とする。【選択図】図１
0003160641.tif 000002
【実用新案登録請求の範囲】
【請求項１】
円盤状情報記録媒体を収納する収納容器の中に、該円盤状情報記録媒体と共に収納される広告宣伝媒体であって、
前記円盤状情報記録媒体の中心孔と嵌合し該円盤状情報記録媒体を係止する係止部より大きく、かつ、前記円盤状情報記録媒体より小さい孔を備えることを特徴とする広告宣伝媒体。
【請求項２】
表面又は裏面に広告宣伝情報を掲載する領域を備えることを特徴とする請求項１に記載の広告宣伝媒体。
【請求項３】
請求項１又は２に記載の広告宣伝媒体を収納した収納容器。
【考案の詳細な説明】
【技術分野】
【０００１】
ＣＤやＤＶＤなど情報記録媒体を収納する収納ケースの中に、該情報記録媒体と共に収納する広告やチラシを含む広告宣伝媒体に関する技術である。
【背景技術】
【０００２】
従来、そして、今現在も、製品販売やサービス提供を行う業者にとって、当該製品やサービスのユーザに対して如何にして製品・サービスの良さを訴求するかということは非常に重要な問題である。
【０００３】
例えば、ユーザに対して製品・サービスの良さを訴求する手段として、広告やチラシなどの広告宣伝媒体が広く知られているが、当該広告宣伝媒体を漫然と使用しても業者が期待するほどの効果は上がらないため、広告宣伝効果を上げるための種々の技術が検討されている（特許文献１など）。
【先行技術文献】
【特許文献】
【０００４】
【特許文献１】特開２００６−２８５０６２号公報
【考案の概要】
【考案が解決しようとする課題】
【０００５】
広告宣伝媒体による広告宣伝効果を上げるためには、広告宣伝の対象である製品・サービスの潜在的な需要を備えると推測されるユーザをターゲットとして、当該製品・サービスの告知を的確に行うことが肝要である。
【０００６】
例えば、様々なコンテンツが収録されたＣＤ、ＤＶＤ又はＢＤなど円盤状情報記録媒体（以下、ディスクと言う。）が販売又はレンタルされる場合、当該ディスクのユーザが備える潜在的な需要をコンテンツに基づきある程度推測することができる。そして、当該推測した需要に応じた広告宣伝を行うことができれば、高い広告宣伝効果を期待することができる。
したがって、本考案では、円盤状情報記録媒体に収録されたコンテンツに応じた広告・宣伝を行うことができる広告宣伝媒体を提供することを目的とする。
【課題を解決するための手段】
【０００７】
開示する広告宣伝媒体の一形態は、円盤状情報記録媒体を収納する収納容器の中に、該円盤状情報記録媒体と共に収納される広告宣伝媒体であって、前記円盤状情報記録媒体の中心孔と嵌合し該円盤状情報記録媒体を係止する係止部より大きく、かつ、前記円盤状情報記録媒体より小さい孔を備えることを特徴とする。
さらに、開示する広告宣伝媒体の一形態は、表面又は裏面に広告宣伝情報を掲載する領域を備えることを特徴とする。
【考案の効果】
【０００８】
開示の広告宣伝媒体は、円盤状情報記録媒体に収録されたコンテンツに応じた広告・宣伝を行うことができる。
【図面の簡単な説明】
【０００９】
【図１】本実施の形態に係る収納容器全体を説明する図である。
【図２】本実施の形態に係る広告宣伝媒体の一例（その１）を示す図である。
【図３】本実施の形態に係る広告宣伝媒体の一例（その２）を示す図である。
【考案を実施するための形態】
【００１０】
図１乃至図３を用いて、本実施の形態に係る広告宣伝媒体１について説明する。図１は、広告宣伝媒体１及び円盤状情報記録媒体（以下、ディスクと言う。）２、並びにこれらを収納する収納容器６を説明する図である。ここで、ディクス２は、ＣＤ（Compact Disc）、ＤＶＤ（Digital Versatile Disc）、ＢＤ（Blu-ray Disc）を含む円盤状の情報記録媒体である。
【００１１】
図１で示すように、収納容器６は、ディスク２を収納する収納部３１を有する収納トレイ部材３と、収納トレイ部材３の収納部３１を覆う蓋部材４と、収納トレイ部材３を収容すると共に蓋部材４と係合するケース本体５とで構成される。蓋部材４は、一般的にケース本体５に対し回動軸４１と回動軸４１が回動自在に係合する軸受５１とを備えている。また、ディスク２は中心に中心孔２１を備え、中心孔２１が係止部３２に嵌合することでディスク２を収納することができる。
【００１２】
また図１で示すように、収納トレイ部材３の収納部３１は、その略中心位置に存在しディスク２の中心孔２１に嵌合することでディスク２を係止する係止部３２と、収納部３１に収納したディスク２の情報層２２と対向する底面部３３と、収納部３１に収納したディスク２を載置し、係止部３２と底面部３３との間に所定の間隙を形成する台座部３４とを含む。台座部３４は、底面部３３と情報層２２との間に所定の間隙を形成することで、収納部３１に収納したディスク２の情報層２２と底面部３３とが接触することを防止できるため、収納したディスク２の情報層２２に傷等の欠陥発生を抑制できる。
【００１３】
また図１で示すように、広告宣伝媒体１は孔１１を備え、孔１１に係止部３２及び台座部３４を通し、広告宣伝媒体１はディスク２と収納トレイ部材３との間に挟まれるように収納される。したがって、孔１１の大きさは、係止部３２及び台座部３４の直径より大きく、収納部３１に収納されるため、ディスク２の直径より小さい。また、広告宣伝媒体１は、底面部３３と情報層２２との間に形成される所定の間隙に収納されるため、ディスク２を傷つけ難い。
【００１４】
一方、広告宣伝媒体１の材質は、紙その他どのような素材であっても良いが、収納時にディスク２を傷つけないような柔らかい素材とすることが好適である。また、広告宣伝媒体１の厚さは、底面部３３と情報層２２との間に形成される所定の間隙に広告宣伝媒体１が収納されるため、当該所定の間隙よりも薄いことが好適である。
【００１５】
次に、図２及び図３を用いて、広告宣伝媒体１の使用方法について説明する。図２及び図３で示すように、広告宣伝媒体１はその表面及び／又は裏面に、製品・サービスの広告や宣伝を掲載することができる領域を備えている。例えば図２では、広告宣伝媒体１の表面（又は裏面）に、店舗名称や連絡先を示す「スナック  たとえば  ○○市△町１−１−１  ＴＥＬ□□−□□□□」が掲載されている。また、広告宣伝媒体１の表面（又は裏面）には、顧客メリットを示す「お会計より５％ＯＦＦ  有効期限△／○／□」や、店舗へのアクセス手段を示す「地図（実際は図面）  ○○より徒歩△分」が掲載されている。さらに、広告宣伝媒体１の表面（又は裏面）には、広告宣伝掲載を希望する場合の連絡先などを示す「チラシに関するお問い合わせはＴＥＬ○○○○○○○○（必要であれば、「実用新案登録申請中（又は実用新案登録済）」）の文言も付す」が掲載されている。
【００１６】
図２では外形が円形状の広告宣伝媒体１について説明したが、広告宣伝媒体１の外形は円形状に限られない。例えば図３で示すように、広告宣伝媒体１はハート型の外形であっても良く、収納部３１に収納可能な大きさ及び形状であれば他形状でも良い。また、図１乃至図３において、孔１１は円形状であるが、孔１１の大きさが係止部３２及び台座部３４の直径より大きく、ディスク２の直径より小さければ、その他の形状であっても良い。
【００１７】
ここで、様々なコンテンツが収録されたディスク２が販売又はレンタルされる場合、ディスク２に収録された各コンテンツに基づき、ディスク２のユーザが備える潜在的な需要をある程度推測することができる。例えば、欧州古城めぐりのコンテンツを収録したディスク２をレンタル店で借りるユーザは、欧州への旅行手配サービスの需要を備えていると推測することができる。
【００１８】
そして、上記推測される需要に応じた広告宣伝を行うことで、一定の広告宣伝効果を奏することができる。例えば、欧州への旅行手配サービスの需要をユーザが備えていると推測すれば、旅行代理店の広告宣伝を行うことで、一定程度の広告宣伝効果が見込まれる。したがって、ディスク２に収録されたコンテンツに応じ適切な広告宣伝情報を掲載した広告宣伝媒体１を収納容器６に収納しておくことで、広告宣伝の対象となる製品・サービスに対する潜在的な需要を備えるユーザに対し、当該製品・サービスの広告・宣伝を的確に行うことができる。
【００１９】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２０】
１    広告宣伝媒体
２    円盤状情報記録媒体（ディスク）
６    収納容器
１１  孔
２１  中心孔
３１  係止部
３４  台座部
【図１】
0003160641.tif 000003
【図２】
0003160641.tif 000004
【図３】
0003160641.tif 000005